(57)【要約】【課題】低輝度表示の場合においてＯＬＥＤ素子を流れる電流のピーク値を低減するとともに画素内の消費電力を低減するＯＬＥＤ素子における消費電流量を低減する。【解決手段】電気光学素子１１に対して指定された階調値に対応する駆動電流Ｉｄｓの電流量が通常モードよりも小さい低輝度モードの場合は、データ電位ＶＤの変化幅△ＶＤ（Ｌ）は、通常モードよりも小さく設定され、高位側電位ＶＥＬと低位側電位ＶＣＴとの間の電位差は、通常モードよりも小さく設定され、スイッチング用トランジスタＴｓのゲートに供給される電位の変化幅△ＶＧ（Ｌ）は、通常モードよりも小さく設定される。【選択図】      図６
2009204802.tif 000002
【特許請求の範囲】
【請求項１】
複数の単位回路を備えた電気光学装置であって、
前記複数の単位回路の各々は、
高位側電位が供給される高位側電源線と低位側電位が供給される低位側電源線との間に配置されて駆動電流に応じた輝度で発光する電気光学素子と、
前記電気光学素子に対して直列に接続されるとともに前記駆動電流を生成する駆動トランジスタと、
前記駆動トランジスタのゲートの電位を保持するための容量素子と、
前記駆動トランジスタのゲートとデータ電位が供給されるデータ線との間に配置されてゲートに供給される電位に応じてオン状態およびオフ状態が切り替わるトランジスタであって、オン状態にされることで前記駆動トランジスタのゲートの電位を前記データ電位に応じた電位に設定するスイッチ用トランジスタと、を具備し、
当該単位回路の前記電気光学素子に対して最低階調が指定された場合におけるデータ電位と、最高階調が指定された場合におけるデータ電位との電位差が第１モードよりも小さく設定されることで、前記電気光学素子に対して指定された階調に対応する前記駆動電流の電流値が前記第１モードよりも小さくなる第２モードの場合は、
前記高位側電位と前記低位側電位との電位差は、前記第１モードよりも小さく設定され、
前記スイッチング用トランジスタのゲートに供給される電位の変化幅は、前記第１モードよりも小さく設定される
電気光学装置。
【請求項２】
前記駆動トランジスタはＰチャネル型のトランジスタで構成され、
前記第２モードの場合は、
前記データ電位の最低値は前記第１モードにおける値よりも高い値に設定される一方、前記データ電位の最高値は前記第１モードにおける値と同じ値に設定され、
前記低位側電位は、前記第１モードにおける値よりも高い値に設定される一方、前記高位側電位は、前記第１モードにおける値と同じ値に設定され、
前記スイッチング用トランジスタのゲートに供給される電位の最低値は前記第１モードにおける値よりも高い値に設定される一方、前記スイッチング用トランジスタのゲートに供給される電位の最高値は前記第１モードにおける値と同じ値に設定される
請求項１に記載の電気光学装置。
【請求項３】
前記駆動トランジスタはＮチャネル型のトランジスタで構成され、
前記第２モードの場合は、
前記データ電位の最高値は前記第１モードにおける値よりも低い値に設定される一方、その最低値は前記第１モードにおける値と同じ値に設定され、
前記高位側電位は、前記第１モードにおける値よりも低い値に設定される一方、前記低位側電位は、前記第１モードにおける値と同じ値に設定され、
前記スイッチング用トランジスタのゲートに供給される電位の最高値は前記第１モードにおける値よりも低い値に設定される一方、前記スイッチング用トランジスタのゲートに供給される電位の最低値は前記第１モードにおける値と同じ値に設定される
請求項１に記載の電気光学装置。
【請求項４】
請求項１から請求項３の何れかに記載の電気光学装置を具備する電気光学装置。
【請求項５】
複数の単位回路を備えるとともに、前記複数の単位回路の各々は、高位側電位が供給される高位側電源線と低位側電位が供給される低位側電源線との間に配置されて駆動電流に応じた輝度で発光する電気光学素子と、前記電気光学素子に対して直列に接続されるとともに前記駆動電流を生成する駆動トランジスタと、前記駆動トランジスタのゲートの電位を保持するための容量素子と、前記駆動トランジスタのゲートとデータ電位が供給されるデータ線との間に配置されてゲートに供給される電位に応じてオン状態およびオフ状態が切り替わるトランジスタであって、オン状態にされることで前記駆動トランジスタのゲートの電位を前記データ電位に応じた電位に設定するスイッチ用トランジスタと、を具備する電気光学装置の駆動方法であって、
前記単位回路の前記電気光学素子に対して最低階調が指定された場合におけるデータ電位と、最高階調が指定された場合におけるデータ電位との電位差が第１モードよりも小さく設定されることで、前記電気光学素子に対して指定された階調に対応する前記駆動電流の電流値が前記第１モードよりも小さくなる第２モードの場合は、
前記高位側電位と前記低位側電位との電位差を、前記第１モードよりも小さく設定し、
前記スイッチング用トランジスタのゲートに供給される電位の変化幅を、前記第１モードよりも小さく設定する
電気光学装置の駆動方法。
【請求項６】
前記駆動トランジスタはＰチャネル型のトランジスタで構成され、
前記第２モードの場合は、
前記データ電位の最低値を前記第１モードにおける値よりも高い値に設定する一方、前記データ電位の最高値を前記第１モードにおける値と同じ値に設定し、
前記低位側電位を、前記第１モードにおける値よりも高い値に設定する一方、前記高位側電位を、前記第１モードにおける値と同じ値に設定し、
前記スイッチング用トランジスタのゲートに供給される電位の最低値を前記第１モードにおける値よりも高い値に設定する一方、前記スイッチング用トランジスタのゲートに供給される電位の最高値を前記第１モードにおける値と同じ値に設定する
請求項５に記載の電気光学装置の駆動方法。
【請求項７】
前記駆動トランジスタはＮチャネル型のトランジスタで構成され、
前記第２モードの場合は、
前記データ電位の最高値を前記第１モードにおける値よりも小さい値に設定する一方、その最低値を前記第１モードにおける値と同じ値に設定し、
前記高位側電位を、前記第１モードにおける値よりも低い値に設定する一方、前記低位側電位を、前記第１モードにおける値と同じ値に設定し、
前記スイッチング用トランジスタのゲートに供給される電位の最高値を前記第１モードにおける値よりも低い値に設定する一方、前記スイッチング用トランジスタのゲートに供給される電位の最低値を前記第１モードにおける値と同じ値に設定する
請求項５に記載の電気光学装置の駆動方法。
【発明の詳細な説明】
【技術分野】
【０００１】
本発明は、電気光学素子を用いた電気光学装置、その駆動方法および電子機器に関する。
【背景技術】
【０００２】
近年、有機ＥＬ（ElectroLuminescent）素子や発光ポリマー素子などと呼ばれる有機発光ダイオード（Organic Light Emitting Diode、以下「ＯＬＥＤ」という）素子などの電気光学素子を用いた電気光学装置が各種提案されている。そのような電気光学装置においては、ＰＷＭ（Puise Width Modulation）方式を利用して電気光学素子の輝度調整を行うという技術が知られている。
【０００３】
例えば、特許文献１には、低輝度表示の場合は、画像信号に応じたデータのパルス幅を狭くしてＯＬＥＤ素子に対する駆動電流の供給時間を短くすることで、ＯＬＥＤ素子に供給される駆動電流の量を少なくするという技術が開示されている。
【特許文献１】特開２００１―１０９４２１号公報
【発明の開示】
【発明が解決しようとする課題】
【０００４】
しかしながら、特許文献１に開示された技術は、ＯＬＥＤ素子に対する駆動電流の供給時間を制御するものであるため、低輝度表示の場合においてＯＬＥＤ素子に流れる電流のピーク値は高輝度表示の場合においてＯＬＥＤ素子に流れる電流のピーク値と変わらない。ＯＬＥＤ素子に流れる電流のピーク値が大きいほどＯＬＥＤ素子は劣化するから、低輝度表示の場合であってもＯＬＥＤ素子の劣化は高輝度表示の場合と同等に進行するという問題があった。
以上の事情に鑑みて、本発明は、低輝度表示の場合において電気光学素子を流れる電流のピーク値を低減するとともに画素内の消費電力を低減するという課題の解決を目的としている。
【課題を解決するための手段】
【０００５】
以上の課題を解決するために、本発明に係る電気光学装置は、複数の単位回路を備えた電気光学装置であって、複数の単位回路の各々は、高位側電位が供給される高位側電源線と低位側電位が供給される低位側電源線との間に配置されて駆動電流に応じた輝度で発光する電気光学素子と、電気光学素子に対して直列に接続されるとともに駆動電流を生成する駆動トランジスタと、駆動トランジスタのゲートの電位を保持するための容量素子と、駆動トランジスタのゲートとデータ電位が供給されるデータ線との間に配置されてゲートに供給される電位に応じてオン状態およびオフ状態が切り替わるトランジスタであって、オン状態にされることで駆動トランジスタのゲートの電位をデータ電位に応じた電位に設定するスイッチ用トランジスタと、を具備し、当該単位回路の前記電気光学素子に対して最低階調が指定された場合におけるデータ電位と、最高階調が指定された場合におけるデータ電位との電位差が第１モード（例えば本明細書中の通常モード）よりも小さく設定されることで、電気光学素子に対して指定された階調に対応する駆動電流の電流値が第１モードよりも小さくなる第２モード（例えば本明細書中の低輝度モード）の場合は、高位側電位と低位側電位との間の電位差は、第１モードよりも小さく設定され、スイッチング用トランジスタのゲートに供給される電位の変化幅は、第１モードよりも小さく設定される。
【０００６】
この態様によれば、第２モードにおいては、電気光学素子に対して最低階調が指定された場合におけるデータ電位と、最高階調が指定された場合におけるデータ電位との電位差が第１モードよりも小さく設定されることで、電気光学素子に対して指定された階調に対応する駆動電流の電流値が第１モードよりも小さくなるから、第２モードにおいて電気光学素子へ供給される駆動電流のピーク値を第１モードにおけるピーク値よりも低減できる。また、第２モードにおいては、電気光学素子に対して最低階調が指定された場合におけるデータ電位と、最高階調が指定された場合におけるデータ電位との電位差が第１モードよりも小さく設定されるから、高位側電位と低位側電位との電位差を第１モードよりも小さく設定できる。これにより、第２モードにおける駆動トランジスタのドレイン・ソース間電圧を第１モードにおける値よりも小さくできる。さらに、第２モードにおいては、スイッチング用トランジスタのゲートに供給される電位の変化幅を第１モードよりも小さく設定できる。すなわち、この態様によれば、第２モードにおいて電気光学素子を流れる駆動電流のピーク値を第１モードに比べて低減できるとともに、単位回路内における消費電力を第１モードに比べて節減できる。
【０００７】
本発明に係る電気光学装置の具体的な態様としては、駆動トランジスタはＰチャネル型のトランジスタで構成され、第２モードの場合は、データ電位の最低値は第１モードにおける値よりも高い値に設定される一方、データ電位の最高値は第１モードにおける値と同じ値に設定され、低位側電位は、第１モードにおける値よりも高い値に設定される一方、高位側電位は、第１モードにおける値と同じ値に設定され、スイッチング用トランジスタのゲートに供給される電位の最低値は第１モードにおける値よりも高い値に設定される一方、スイッチング用トランジスタのゲートに供給される電位の最高値は第１モードにおける値と同じ値に設定される。
【０００８】
また、駆動トランジスタはＮチャネル型のトランジスタで構成される態様とすることもできる。この態様においては、第２モードの場合は、データ電位の最高値は第１モードにおける値よりも低い値に設定される一方、データ電位の最低値は第１モードにおける値と同じ値に設定され、高位側電位は、第１モードにおける値よりも低い値に設定される一方、低位側電位は、第１モードにおける値と同じ値に設定され、スイッチング用トランジスタのゲートに供給される電位の最高値は第１モードにおける値よりも低い値に設定される一方、スイッチング用トランジスタのゲートに供給される電位の最低値は第１モードにおける値と同じ値に設定される。
【０００９】
また、本発明に係る電気光学装置は各種の電子機器に利用される。この電子機器の典型例は、電気光学装置を表示装置として利用した機器である。この種の機器としては、パーソナルコンピュータや携帯電話機などがある。もっとも、本発明に係る電気光学装置の用途は画像の表示に限定されない。例えば、光線の照射によって感光体ドラムなどの像担持体に潜像を形成する構成の画像形成装置（印刷装置）においては、像担持体を露光する手段（いわゆる露光ヘッド）として本発明の電気光学装置を採用することもできる。
【００１０】
次に、本発明に係る電気光学装置の駆動方法は、複数の単位回路を備えるとともに、複数の単位回路の各々は、高位側電位が供給される高位側電源線と低位側電位が供給される低位側電源線との間に配置されて駆動電流に応じた輝度で発光する電気光学素子と、電気光学素子に対して直列に接続されるとともに駆動電流を生成する駆動トランジスタと、駆動トランジスタのゲートの電位を保持するための容量素子と、駆動トランジスタのゲートとデータ電位が供給されるデータ線との間に配置されてゲートに供給される電位に応じてオン状態およびオフ状態が切り替わるトランジスタであって、オン状態にされることで駆動トランジスタのゲートの電位をデータ電位に応じた電位に設定するスイッチ用トランジスタと、を具備する電気光学装置の駆動方法であって、当該単位回路の前記電気光学素子に対して最低階調が指定された場合におけるデータ電位と、最高階調が指定された場合におけるデータ電位との電位差が第１モードよりも小さく設定されることで、電気光学素子に対して指定された階調に対応する駆動電流の電流値が第１モードよりも小さくなる第２モードの場合は、単位回路における電気光学素子に対して指定された階調値に対応する駆動電流の電流値が第１モードよりも小さい第２モードの場合は、高位側電位と低位側電位との電位差を、第１モードよりも小さく設定し、スイッチング用トランジスタのゲートに供給される電位の変化幅を、第１モードよりも小さく設定する。
【００１１】
本発明に係る電気光学装置の駆動方法の具体的な態様として、駆動トランジスタをＰチャネル型のトランジスタで構成し、第２モードの場合は、データ電位の最低値を第１モードにおける値よりも高い値に設定する一方、データ電位の最高値を第１モードにおける値と同じ値に設定し、低位側電位を、第１モードにおける値よりも高い値に設定する一方、高位側電位を、第１モードにおける値と同じ値に設定し、スイッチング用トランジスタのゲートに供給される電位の最低値を第１モードにおける値よりも高い値に設定する一方、スイッチング用トランジスタのゲートに供給される電位の最高値を第１モードにおける値と同じ値に設定することもできる。
【００１２】
また、本発明に係る電気光学装置の駆動方法の具体的な態様として、駆動トランジスタをＮチャネル型の薄膜トランジスタで構成し、第２モードの場合は、データ電位の最高値を第１モードにおける値よりも低い値に設定する一方、データ電位の最低値を第１モードにおける値と同じ値に設定し、高位側電位を、第１モードにおける値よりも低い値に設定する一方、低位側電位を、第１モードにおける値と同じ値に設定し、スイッチング用トランジスタのゲートに供給される電位の最高値を第１モードにおける値よりも低い値に設定する一方、スイッチング用トランジスタのゲートに供給される電位の最低値を第１モードにおける値と同じ値に設定することもできる。
【発明を実施するための最良の形態】
【００１３】
＜Ａ：第１実施形態＞
図１は、本実施形態に係る電気光学装置１０の構成を示すブロック図である。この電気光学装置１０は、画像を表示するための手段として各種の電子機器に採用される装置であり、複数の画素回路Ｐが面状に配列された画素アレイ部１００と、各画素回路Ｐを駆動する走査線駆動回路２０およびデータ線駆動回路３０と、電気光学装置１０で利用される各種電位を生成する電位生成部４０とを有する。なお、図１においては、走査線駆動回路２０とデータ線駆動回路３０と電位生成部４０とが別個の回路として図示されているが、これらの回路の一部または全部が単一の回路とされた構成も採用される。
【００１４】
図１に示すように、画素アレイ部１００には、Ｘ方向に延在するｍ本の走査線１０２と、Ｘ方向に直交するＹ方向に延在するｎ本のデータ線１０４とが設けられる（ｍおよびｎは自然数）。各画素回路Ｐは、走査線１０２とデータ線１０４との交差に対応する位置に配置される。従って、これらの画素回路Ｐは縦ｍ行×横ｎ列のマトリクス状に配列する。
【００１５】
走査線駆動回路２０は、複数の画素回路Ｐを水平走査期間ごとに行単位で選択するための回路である。走査線駆動回路２０は、順次アクティブとなる走査信号ＶＧ[１]〜ＶＧ[ｍ]をｍ本の走査線１０２の各々に出力する。第ｉ行（ｉは１≦ｉ≦ｍを満たす整数）の走査線１０２に出力される走査信号ＶＧ[ｉ]のアクティブレベルへの遷移は、第ｉ行の選択を意味する。走査信号ＶＧ[ｉ]は、１フレーム期間内の第ｉ番目の水平走査期間にて電位ＶＨＨ（アクティブレベル）に設定され、それ以外の期間においては電位ＶＳＳ（非アクティブレベル）に設定される。
【００１６】
データ線駆動回路３０は、走査線駆動回路２０が選択した走査線１０２に対応する１行分のｎ個の画素回路Ｐの各々に対応するデータ電位ＶＤ[１]ないしＶＤ[ｎ]を生成して各データ線１０４に出力する。第ｉ行の選択時に第ｊ列目（ｊは１≦ｊ≦ｎを満たす整数）のデータ線１０４に出力されるデータ電位ＶＤ[ｊ]は、第ｉ行の第ｊ列目に位置する画素回路Ｐに対して指定された階調に対応する電位となる。
【００１７】
電位生成部４０は、高位側電位ＶＥＬおよび低位側電位ＶＣＴを生成する。電位生成部４０で生成された高位側電位ＶＥＬは、高位側電源線１０６を介して各画素回路Ｐに共通に供給される。また、電位生成部４０で生成された低位側電位ＶＣＴは、低位側電源線１０８を介して各画素回路Ｐに共通に供給される。さらに、電位生成部４０は、走査信号ＶＧのアクティブレベルの電位ＶＨＨと、非アクティブレベルの電位ＶＳＳとを生成して走査線駆動回路２０へ供給する。なお、電位生成部４０は、接地電位を基準にして上述の各電位を生成する。
【００１８】
次に、図２を参照して、各画素回路Ｐの構成を説明する。同図においては、第ｉ行の第ｊ列目に位置するひとつの画素回路Ｐのみを図示しているが、その他の画素回路Ｐも同様の構成である。同図に示すように、画素回路Ｐは、Ｐチャネル型の駆動トランジスタＴｄｒと、スイッチング素子として機能するＮチャネル型のスイッチ用トランジスタＴｓと、容量素子Ｃと、電気光学素子１１とを有する。電気光学素子１１は、陽極と陰極との間に有機ＥＬ材料の発光層を介在させたＯＬＥＤ素子であって、高位側電位ＶＥＬが供給される高位側電源線１０６と低位側電位が供給される低位側電位供給線１０８との間に介挿される。
【００１９】
図２に示すように、高位側電源線１０６から電気光学素子１１の陽極に至る経路には駆動トランジスタＴｄｒが介挿される。駆動トランジスタＴｄｒは、そのゲートの電位に応じた電流値の駆動電流Ｉｄｓを生成するための手段であり、そのソースが高位側電源線１０６に接続されるとともにドレインが電気光学素子１１の陽極に接続される。
【００２０】
容量素子Ｃは、駆動トランジスタＴｄｒのゲートの電位を保持するための手段であり、一方の電極は駆動トランジスタＴｄｒのゲートと接続され、他方の電極は駆動トランジスタＴｄｒのソースと接続される。
【００２１】
スイッチ用トランジスタＴｓは、駆動トランジスタＴｄｒのゲートとデータ線１０４との間に介挿される。図２に示すように、スイッチ用トランジスタＴｓのドレインは駆動トランジスタＴｄｒのゲートと容量素子Ｃの一方の電極とに接続される一方、ソースはデータ線１０４に接続される。駆動トランジスタＴｄｒのゲートは走査線１０２と接続される。スイッチ用トランジスタＴｓはゲートに供給される電位（走査信号ＶＧ[ｉ]）に応じてオン状態およびオフ状態が切り替わり、スイッチ用トランジスタＴｓがオン状態になると、データ線１０４からのデータ電位ＶＤ[ｊ]が駆動トランジスタＴｄｒのゲートに供給されるとともに、容量素子Ｃに書き込まれる。すなわち、スイッチ用トランジスタＴｓは、駆動トランジスタＴｄｒのゲートの電位をデータ電位ＶＤ[ｊ]に応じた電位に設定するスイッチング手段である。
【００２２】
次に、図３を参照しながら、データ線駆動回路３０の構成について説明する。図３は、データ線駆動回路３０の詳細な構成を示すブロック図である。図３に示すように、データ線駆動回路３０は、表示データ変換回路３２と、シリアルパラレル変換部３４と、ｎ個のＤ／Ａ変換器３６とを有する。
【００２３】
表示データ変換回路３２は、図示しない制御回路から供給される画像信号Ｄを表示モードに応じて変換してシリアルパラレル変換部３４へ出力する。画像信号Ｄは、ｎ本のデータ線１０４の各々に対応する階調データｄ（ｄ１〜ｄｎ）がシリアル形式に連続したデジタルデータである。
【００２４】
本実施形態においては、表示モードには、通常モードと低輝度モードの２種類のモードがある。通常モードにおいては、電気光学素子１１に対して指定された階調値に応じた駆動電流Ｉｄｓが生成される。低輝度モードにおいては、通常モードと同じ階調値が指定された場合でも、その階調値に対応して生成される駆動電流Ｉｄｓの電流値が通常モードの場合よりも小さくなるように設定される。
【００２５】
表示モードが通常モードの場合、表示データ変換回路３２は、画像信号Ｄをそのままシリアルパラレル変換部３４へ出力する。一方、表示モードが低輝度モードの場合、表示データ変換回路３２は、画像信号Ｄを上位ビット側にビットシフトしてシリアルパラレル変換部３４へ出力する。したがって、低輝度モードの場合は、通常モードの場合と同じ階調値が電気光学素子１１に対して指定されても、表示データ変調回路３２からシリアルパラレル変換部３４へ出力される階調データｄの値は通常モードにおける値よりも大きい値となる。
【００２６】
シリアルパラレル変換部３４は、表示データ変換回路３２から出力されたシリアル形式の階調データｄ（ｄ１〜ｄｎ）をパラレル形式のｎ個の階調データｄ（ｄ１〜ｄｎ）に変換して、ｎ個のＤ／Ａ変換器３６の各々へ分配する。
【００２７】
ｎ個のＤ／Ａ変換器３６は、ｎ本のデータ線１０４に各々対応して設けられ、各々に供給される階調データｄ（ｄ１〜ｄｎ）をデジタル信号からアナログ信号に変換する。変換後のアナログ信号はデータ電位ＶＤ[１]〜ＶＤ[ｎ]として各データ線１０４に出力される。前述したように、低輝度モードの場合は、通常モードの場合と同じ階調値が指定されても、表示データ変換回路３２から出力される階調データｄの値は通常モードにおける値よりも大きくなるから、データ電位ＶＤの値も通常モードにおける値よりも高くなる。
【００２８】
図４は、駆動トランジスタＴｄｒで生成される駆動電流Iｄｓと、データ電位ＶＤとの関係を示す図である。駆動トランジスタＴｄｒは、Ｐチャネル型のトランジスタで構成されるから、図４に示すように、駆動トランジスタＴｄｒのゲートの電位、すなわちデータ電位ＶＤの値が高いほどゲート・ソース間電圧Ｖｇｓ（＝｜ＶＥＬ−ＶＤ｜）が小さくなって、駆動トランジスタＴｄｒで生成される駆動電流Ｉｄｓが小さくなる。従って、低輝度モードの場合は、通常モードの場合と同じ階調値が指定されても、画素回路Ｐにおける駆動トランジスタＴｄｒで生成される駆動電流Ｉｄｓの値が通常モードにおける値よりも小さくなる。つまり、低階調モードにおいては、通常モードの場合と同じ階調値が指定されても、電気光学素子１１の輝度は通常モードの場合よりも低輝度となる。
【００２９】
図５は、通常モードおよび低輝度モードにおけるデータ電位ＶＤの変化幅△ＶＤを示す図である。先ず、通常モードの場合について説明する。通常モードにおいては、ＶＤｍｉｎ（Ｎ）からＶＤｍａｘまでの範囲内の複数の電位の何れかが、階調データｄの示す階調値に応じて選択されてデータ電位ＶＤとして出力される。
【００３０】
電気光学素子１１に対して最低階調が指定された場合（例えば黒が指定された場合）は、駆動トランジスタＴｄｒのゲートに供給されるデータ電位ＶＤの値はその最高値であるＶＤｍａｘに設定される。データ電位ＶＤがＶＤｍａｘに設定された場合は、駆動トランジスタＴｄｒはオフ状態になる。一方、電気光学素子１１に対して最高階調が指定された場合（例えば白が指定された場合）は、駆動トランジスタＴｄｒのゲートに供給されるデータ電位ＶＤの値は最低値ＶＤｍｉｎ（Ｎ）に設定される。
【００３１】
次に、低輝度モードの場合について説明する。図５に示すように、低輝度モードにおいては、ＶＤｍｉｎ（Ｌ）からＶＤｍａｘまでの範囲内の複数の電位の何れかが、階調データｄの示す階調値に応じて選択されてデータ電位ＶＤとして出力される。電気光学素子１１に対して最低階調が指定された場合は、通常モードの場合と同様に、駆動トランジスタＴｄｒのゲートに供給されるデータ電位ＶＤの値はＶＤｍａｘに設定されて駆動トランジスタＴｄｒはオフ状態になる。
【００３２】
一方、電気光学素子１１に対して最高階調が指定された場合は、駆動トランジスタＴｄｒのゲートに供給されるデータ電位ＶＤの値は最低値ＶＤｍｉｎ（Ｌ）に設定される。図５に示すように、最高階調が指定された場合におけるデータ電位ＶＤｍｉｎ（Ｌ）の値は、通常モードにおいて最高階調が指定された場合におけるデータ電位ＶＤｍｉｎ（Ｎ）の値よりも高い。前述したように、低輝度モードの場合は、通常モードの場合と同じ階調値が指定されても、データ電位ＶＤの値は通常モードにおける値よりも高いためである。従って、図５に示すように、低輝度モードにおけるデータ電位ＶＤの変化幅△ＶＤ（Ｌ）は、通常モードにおけるデータ電位ＶＤの変化幅△ＶＤ（Ｎ）よりも小さい。
【００３３】
図４に示すように、通常モードにおいて最高階調が指定された場合のデータ電位ＶＤｍｉｎ（Ｎ）に対応する駆動電流Ｉｄｓの電流値をＩｄｓｍａｘ（Ｎ）と表記し、低輝度モードにおいて最高階調が指定された場合のデータ電位ＶＤｍｉｎ（Ｌ）に対応する駆動電流Ｉｄｓの電流値をＩｄｓｍａｘ（Ｌ）と表記する。低輝度モードにおいて最高階調が指定された場合のデータ電位ＶＤｍｉｎ（Ｌ）は、通常モードにおいて最高階調が指定された場合のデータ電位ＶＤｍｉｎ（Ｎ）より大きいから、Ｉｄｓｍａｘ（Ｌ）はＩｄｓｍａｘ（Ｎ）よりも小さい値となる。従って、図４に示すように、低輝度モードにおける駆動電流Ｉｄｓのピーク値（Ｉｄｓｍａｘ（Ｌ））は、通常モードにおける駆動電流Ｉｄｓのピーク値（Ｉｄｓｍａｘ（Ｎ））よりも△Ｉｄｓだけ小さいから、低輝度モードにおいては通常モードよりも電気光学素子１１の劣化を抑制できる。
【００３４】
ここで、飽和領域において駆動トランジスタＴｄｒで生成される駆動電流Ｉｄｓは、次に示す式（１）で表される。
Ｉｄｓ＝（β／２）＊（Ｖｇｓ−Ｖｔｈ）２      ・・・（１）
上記式（１）において、βは利得係数を表している。また、駆動トランジスタＴｄｒは、次に示す式（２）で表される飽和条件を満たす必要がある。
Ｖｇｓ−Ｖｔｈ＜Ｖｄｓ      ・・・（２）
上記式（２）において、Ｖｄｓは駆動トランジスタＴｄｒのドレイン・ソース間電圧を表している。
【００３５】
いま、通常モードから低輝度モードに切り替えられた場合を想定する。前述したように、低輝度モードにおいては、通常モードの場合と同じ階調値が指定されても、駆動トランジスタＴｄｒで生成される駆動電流Ｉｄｓの値は通常モードにおける値よりも小さい。上記式（１）において、利得係数βおよび閾値電圧Ｖｔｈは定数であるから、駆動電流Ｉｄｓが減少すれば、駆動トランジスタＴｄｒのゲート・ソース間電圧Ｖｇｓが減少することが分かる。式（２）からも理解されるように、ゲート・ソース間電圧Ｖｇｓが減少した分だけドレイン・ソース間電圧Ｖｄｓを減少させても、駆動トランジスタＴｄｒの動作領域を飽和領域に保つことができる。本実施形態においては、低輝度モードの場合は、電位生成部４０が、高位側電位ＶＥＬと低位側電位ＶＣＴとの電位差を通常モードの場合における値よりも小さい値に設定する。これにより、低輝度モードの場合におけるドレイン・ソース間電圧Ｖｄｓの値が通常モードの場合における値よりも小さく設定される。
【００３６】
さらに詳述すると以下のとおりである。駆動トランジスタＴｄｒで生成される駆動電流Ｉｄｓの電流値は、駆動トランジスタＴｄｒのゲート・ソース間電圧Ｖｇｓで決まる。つまり、駆動トランジスタＴｄｒのドレイン側の電位の値は、生成される駆動電流Ｉｄｓの値に殆ど影響を及ぼさない。図２に示すように、駆動トランジスタＴｄｒのソースは高位側電源線１０６に接続され、そのドレインは低位側電源線１０８に接続されるから、本実施形態においては、図６に示すように、低輝度モードの場合は、低位側電位ＶＣＴ（Ｌ）が通常モードにおける低位側電位ＶＣＴ（Ｎ）よりも高い値に設定される一方、高位側電位ＶＥＬは通常モードにおける値と同じ値に設定される。これにより、データ電位ＶＤと駆動電流Ｉｄｓとの関係を維持したまま、高位側電位ＶＥＬと低位側電位ＶＣＴとの間の電位差が通常モードにおける値よりも小さく設定される。その結果、低輝度モードにおける駆動トランジスタＴｄｒのドレイン・ソース間電圧Ｖｄｓが通常モードにおけるドレイン・ソース間電圧Ｖｄｓよりも小さくなるから、高位側電位供給線１０６から駆動トランジスタＴｄｒを介して電気光学素子１１へ至る電流経路における消費電力量を低減できる。
【００３７】
図７は、走査信号ＶＧの電位の変化幅（振幅）△ＶＧと、データ電位ＶＤの変化幅△ＶＤとを通常モードの場合と低輝度モードの場合とについて示す図である。先ず、通常モードの場合について説明する。前述したように、図２に示すスイッチ用トランジスタＴｓがオン状態になると、データ電位ＶＤが駆動トランジスタＴｄｒのゲートに供給される。これによって、駆動トランジスタＴｄｒのゲートの電位がデータ電位ＶＤに応じた電位に設定される。データ電位ＶＤの変化幅△ＶＤがＶＤｍｉｎ（Ｎ）とＶＤｍａｘとの間に設定される通常モードにおいて、走査信号ＶＧの電位の変化幅△ＶＧ（Ｎ）は、データ電位ＶＤが如何なる値に設定されても、スイッチ用トランジスタＴｓを確実にオン状態にできるとともに確実にオフ状態にできる範囲内に設定される必要がある。
【００３８】
図２に示すように、本実施形態においては、スイッチ用トランジスタＴｓはＮチャネル型のトランジスタで構成され、ゲートが走査線１０２に接続されるとともにソースがデータ線１０４に接続される。スイッチ用トランジスタＴｓをオン状態にするためには、走査信号ＶＧのアクティブレベルの電位ＶＨＨは、データ電位ＶＤよりもスイッチ用トランジスタＴｓの閾値電圧Ｖｔｈ２以上に高い値に設定されればよい。本実施形態においては、走査信号ＶＧのアクティブレベルの電位ＶＨＨは、データ電位ＶＤの最大値ＶＤｍａｘよりも閾値電圧Ｖｔｈ２以上に高い値に設定される。これにより、データ電位ＶＤの値がＶＤｍａｘ以下の如何なる値に設定されても、アクティブレベルの走査信号ＶＧによってスイッチ用トランジスタＴｓを確実にオン状態にできる。
【００３９】
一方、図７に示すように、走査信号ＶＧの非アクティブレベルの電位ＶＳＳ（Ｎ）は、データ電位ＶＤの値が最低値ＶＤｍｉｎ（Ｎ）に設定された場合でも、スイッチ用トランジスタＴｓを確実にオフ状態にできる電位に設定される。すなわち、走査信号ＶＧの非アクティブレベルの電位ＶＳＳ（Ｎ）は、データ電位ＶＤの最低値ＶＤｍｉｎ（Ｎ）より閾値電圧Ｖｔｈ２だけ高い電位よりも低い値に設定されればよい。図７に示すように、本実施形態においては、走査信号ＶＧの非アクティブレベルの電位ＶＳＳ（Ｎ）はデータ電位ＶＤの最低値ＶＤｍｉｎ（Ｎ）よりも低い電位に設定される。これにより、データ電位ＶＤの値がＶＤｍｉｎ（Ｎ）以上の如何なる値に設定されても、非アクティブレベルの走査信号ＶＧによってスイッチ用トランジスタＴｓを確実にオフ状態にできる。
【００４０】
次に、低輝度モードの場合について説明する。本実施形態においては、最低階調が指定された場合におけるデータ電位ＶＤｍａｘの値は、通常モードの場合であっても低輝度モードの場合であっても同じ値に設定されるから、図７に示すように、低輝度モードにおける走査信号ＶＧのアクティブレベルの電位ＶＨＨは、通常モードにおける値と同じである。
【００４１】
一方、低輝度モードにおいて最高階調が指定された場合におけるデータ電位ＶＤｍｉ
ｎ（Ｌ）の値は、通常モードにおいて最高階調が指定された場合におけるデータ電位ＶＤｍｉｎ（Ｎ）の値よりも高い。そうすると、低輝度モードにおける走査信号ＶＧの非アクティブレベルの電位ＶＳＳ（Ｌ）の値は、通常モードにおける走査信号ＶＧの非アクティブレベルの電位ＶＳＳ（Ｎ）の値よりも高い値に設定できる。図７に示すように、本実施形態においては、低輝度モードにおける走査信号ＶＧの非アクティブレベルの電位ＶＳＳ（Ｌ）の値は、通常モードにおける走査信号ＶＧの非アクティブレベルの電位ＶＳＳ（Ｎ）の値よりも高い値に設定される。従って、本実施形態においては、図７に示すように、低輝度モードにおける走査信号ＶＧの電位の変化幅△ＶＧ（Ｌ）が通常モードにおける走査信号ＶＧの電位の変化幅△ＶＧ（Ｎ）よりも小さく設定される。これによって、低輝度モード時における消費電力を通常モード時における消費電力に比べて小さくできる。
【００４２】
以上に説明したように、本実施形態においては、駆動トランジスタＴｄｒがＰチャネル型で構成されたうえで、低輝度モードの場合は、データ電位ＶＤの最低値ＶＤｍｉｎ（Ｌ）は通常モードにおける値よりも高い値に設定されるから（第１の処理）、低輝度モードにおいて電気光学素子１１へ供給される駆動電流Ｉｄｓのピーク値を通常モードにおけるピーク値よりも低減できる。一方、データ電位ＶＤの最高値ＶＤｍａｘは通常モードにおける値と同じ値に設定されるから、低輝度モードにおいては、データ電位ＶＤの変化幅△ＶＤは通常モードにおける値よりも小さく設定される。従って、低輝度モードにおいては、低位側電位ＶＣＴと高位側電位ＶＥＬとの電位差を通常モードにおける値よりも小さく設定できる（第２の処理）とともに、走査信号ＶＧの電位の変化幅△ＶＧ（Ｌ）を通常モードにおける走査信号ＶＧの電位の変化幅ＶＧ（Ｎ）よりも小さく設定できる（第３の処理）。すなわち、前述の第１乃至第３の処理を行うことにより、低輝度モードにおける駆動電流Ｉｄｓのピーク値を通常モードに比べて低減できるとともに、画素回路Ｐ内における消費電力を通常モードに比べて節減できる。
【００４３】
＜Ｂ：第２実施形態＞
上述の第１実施形態においては、画素回路Ｐにおける駆動トランジスタＴｄｒは、Ｐチャネル型のトランジスタで構成される。これに対して、本実施形態においては、図８に示すように、駆動トランジスタＴｄｒは、Ｎチャネル型のトランジスタで構成される点で上述の第１実施形態と相違する。
【００４４】
また、本実施形態においては、低輝度モードの場合は、図３に示す表示データ変換回路３２は、画像信号Ｄを下位ビット側にビットシフトしてシフトレジスタ３４へ出力する。これにより、低輝度モードの場合は、通常モードの場合と同じ階調値が電気光学素子１１に対して指定されても、表示データ変換回路３２からシリアルパラレル変換部３４へ出力される階調データｄの値は通常モードにおける値よりも小さい値となるから、データ電位ＶＤの値は通常モードにおける値よりも低くなる。本実施形態においては、駆動トランジスタＴｄｒは、Ｎチャネル型のトランジスタで構成されるから、図９に示すように、データ電位ＶＤの値が小さいほど駆動トランジスタＴｄｒのゲート・ソース間電圧Ｖｇｓが小さくなって、駆動電流Ｉｄｓが小さくなる。従って、低輝度モードの場合は、通常モードの場合と同じ階調値が指定されても、画素回路Ｐにおける駆動トランジスタＴｄｒで生成される駆動電流Ｉｄｓの値は通常モードにおける値よりも小さくなる。
【００４５】
図１０は、通常モードおよび低輝度モードにおけるデータ電位ＶＤの変化幅△ＶＤを示す図である。先ず、通常モードの場合について説明する。通常モードにおいては、ＶＤｍｉｎからＶＤｍａｘ（Ｎ）までの範囲内の複数の電位の何れかが、階調データｄの示す階調値に応じて選択されてデータ電位ＶＤとして出力される。電気光学素子１１に対して指定された階調値が最低階調の場合は、駆動トランジスタＴｄｒのゲートに供給されるデータ電位ＶＤの値はその最低値であるＶＤｍｉｎに設定される。データ電位ＶＤがＶＤｍｉｎに設定された場合は、駆動トランジスタＴｄｒはオフ状態になる。一方、指定された階調値が最高階調の場合は、駆動トランジスタＴｄｒのゲートに供給されるデータ電位ＶＤの値は最高値ＶＤｍａｘ（Ｎ）に設定される。
【００４６】
次に、低輝度モードの場合について説明する。図１０に示すように、低輝度モードにおいては、ＶＤｍｉｎからＶＤｍａｘ（Ｌ）までの範囲内の複数の電位の何れかが、階調データｄの示す階調値に応じて選択されてデータ電位ＶＤとして出力される。電気光学素子１１に対して指定された階調値が最低階調の場合は、通常モードの場合と同様に、駆動トランジスタＴｄｒのゲートに供給されるデータ電位ＶＤの値はＶＤｍｉｎに設定されて駆動トランジスタＴｄｒはオフ状態になる。
【００４７】
一方、指定された階調値が最高階調の場合は、駆動トランジスタＴｄｒのゲートに供給されるデータ電位ＶＤの値はＶＤｍａｘ（Ｌ）に設定される。図１０に示すように、最高階調が指定された場合におけるデータ電位ＶＤｍａｘ（Ｌ）の値は、通常モードにおいて最高階調が指定された場合におけるデータ電位ＶＤｍａｘ（Ｎ）の値よりも低い。本実施形態においては、低輝度モードの場合は、通常モードの場合と同じ階調値が指定されても、データ電位ＶＤの値は通常モードにおける値よりも低いためである。従って、図１０に示すように、低輝度モードにおけるデータ電位ＶＤの変化幅△ＶＤ（Ｌ）は、通常モードにおけるデータ電位ＶＤの変化幅△ＶＤ（Ｎ）よりも小さい。
【００４８】
低輝度モードにおいて最高階調が指定された場合のデータ電位ＶＤｍａｘ（Ｌ）は、通常モードにおいて最高階調が指定された場合のデータ電位ＶＤｍａｘ（Ｎ）より低いから、図９に示すように、ＶＤｍａｘ（Ｌ）に対応する駆動電流Ｉｄｓｍａｘ（Ｌ）の値はＶＤｍａｘ（Ｎ）に対応する駆動電流Ｉｄｓｍａｘ（Ｎ）の値よりも小さい値となる。従って低輝度モードにおいては通常モードよりも電気光学素子１１の劣化を抑制できる。
【００４９】
また、本実施形態においては、低輝度モードの場合は、電位生成部４０が、高位側電位ＶＥＬと低位側電位ＶＣＴとの電位差を通常モードの場合における値よりも小さい値に設定する。さらに詳述すると以下のとおりである。図８に示すように、Ｎチャネル型の駆動トランジスタＴｄｒのドレインは高位側電源線１０６に接続され、そのソースは低位側電源線１０８に接続されるから、本実施形態においては、図１１に示すように、低輝度モードの場合は、高位側電位ＶＥＬ（Ｌ）が通常モードにおける高位側電位ＶＥＬ（Ｎ）よりも低い値に設定される一方、低位側電位ＶＣＴは通常モードにおける値と同じ値に設定される。これにより、データ電位ＶＤと駆動電流Ｉｄｓとの関係を維持したまま、高位側電位ＶＥＬと低位側電位ＶＣＴとの間の電位差が通常モードにおける値よりも小さく設定される。その結果、低輝度モードにおける駆動トランジスタＴｄｒのドレイン・ソース間電圧Ｖｄｓが通常モードにおけるドレイン・ソース間電圧Ｖｄｓよりも小さくなる。
【００５０】
図１２は、走査信号ＶＧの電位の変化幅△ＶＧと、データ電位ＶＤの変化幅△ＶＤとを通常モードの場合と低輝度モードの場合とについて示す図である。先ず、通常モードの場合について説明する。データ電位ＶＤの変化幅△ＶＤがＶＤｍｉｎとＶＤｍａｘ（Ｎ）との間に設定される通常モードにおいて、走査信号ＶＧの電位の変化幅△ＶＧは、データ電位ＶＤが如何なる値に設定されても、スイッチ用トランジスタＴｓを確実にオン状態にできるとともに確実にオフ状態にできる範囲内に設定される必要がある。
【００５１】
本実施形態においては、通常モードにおける走査信号ＶＧのアクティブレベルの電位ＶＨＨ（Ｎ）は、データ電位ＶＤの最高値ＶＤｍａｘ（Ｎ）よりも閾値電圧Ｖｔｈ２以上に高い値に設定される。これにより、データ電位ＶＤの値が最高値ＶＤｍａｘ（Ｎ）以下の如何なる値に設定された場合でも、アクティブレベルの走査信号ＶＧによってスイッチ用トランジスタＴｓを確実にオン状態にできる。
【００５２】
一方、通常モードにおける走査信号ＶＧの非アクティブレベルの電位ＶＳＳは、データ電位ＶＤの値が最低値ＶＤｍｉｎに設定された場合でも、スイッチ用トランジスタＴｓを確実にオフ状態にできる電位に設定される。すなわち、走査信号ＶＧの非アクティブレベルの電位ＶＳＳは、データ電位ＶＤの最低値ＶＤｍｉｎよりも閾値電圧Ｖｔｈ２だけ高い電位よりも低く設定されればよい。図１２に示すように、本実施形態においては、走査信号ＶＧの非アクティブレベルの電位ＶＳＳはデータ電位ＶＤの最低値ＶＤｍｉｎよりも低い電位に設定される。これにより、データ電位ＶＤの値がＶＤｍｉｎ（Ｎ）以上の如何なる値に設定された場合でも、非アクティブレベルの走査信号ＶＧによってスイッチ用トランジスタＴｓを確実にオフ状態にできる。
【００５３】
次に、低輝度モードの場合について説明する。本実施形態においては、最低階調が指定された場合におけるデータ電位ＶＤｍｉｎの値は、通常モードの場合であっても低輝度モードの場合であっても同じ値に設定されるから、図１２に示すように、低輝度モードにおける走査信号ＶＧの非アクティブレベルの電位ＶＳＳは、通常モードにおける値と同じである。
【００５４】
一方、低輝度モードにおいて最高階調が指定された場合におけるデータ電位ＶＤｍａｘ（Ｌ）の値は、通常モードにおいて最高階調が指定された場合におけるデータ電位ＶＤｍａｘ（Ｎ）の値よりも低い。低輝度モードにおける走査信号ＶＧのアクティブレベルの電位ＶＨＨ（Ｌ）の値は、低輝度モードにおけるデータ電位ＶＤの最高値ＶＤｍａｘ（Ｌ）よりも閾値電圧Ｖｔｈ２以上に高い値に設定されればよいから、本実施形態においては、図１２に示すように、低輝度モードにおける走査信号ＶＧのアクティブレベルの電位ＶＨＨ（Ｌ）の値は、通常モードにおける走査信号ＶＧのアクティブレベルの電位ＶＨＨ（Ｎ）の値よりも低い値に設定される。従って、本実施形態においては、低輝度モードにおける走査信号ＶＧの電位の変化幅△ＶＧ（Ｌ）を通常モードにおける走査信号ＶＧの電位の変化幅ＶＧ（ｎ）よりも小さく設定できる。これによって、低輝度モード時における消費電力を通常モード時における消費電力に比べて小さくできる。
【００５５】
以上に説明したように、本実施形態においては、駆動トランジスタＴｄｒがＮチャネル型で構成されたうえで、低輝度モードの場合は、データ電位ＶＤの最高値ＶＤｍａｘ（Ｌ）は通常モードにおける値よりも低い値に設定されるから（第１の処理）、低輝度モードにおいて電気光学素子１１へ供給される駆動電流Ｉｄｓのピーク値を通常モードにおけるピーク値よりも低減できる。一方、データ電位ＶＤの最低値ＶＤｍｉｎは通常モードにおける値と同じ値に設定されるから、低輝度モードにおいては、データ電位ＶＤの変化幅△ＶＤは通常モードにおける値よりも小さく設定される。従って、低輝度モードにおいては、低位側電位ＶＣＴと高位側電位ＶＥＬとの電位差を通常モードにおける値よりも小さく設定できる（第２の処理）とともに、走査信号ＶＧの電位の変化幅△ＶＧ（Ｌ）を通常モードにおける走査信号ＶＧの電位の変化幅ＶＧ（Ｎ）よりも小さく設定できる（第３の処理）。すなわち、前述の第１乃至第３の処理を行うことにより、低輝度モードにおける駆動電流Ｉｄｓのピーク値を通常モードに比べて低減できるとともに、画素回路Ｐ内における消費電力を通常モードに比べて節減できる。
【００５６】
＜Ｃ：変形例＞
本発明は上述した各実施形態に限定されるものではなく、例えば、以下の変形が可能である。また、以下に示す変形例のうちの２以上の変形例を組み合わせることもできる。
【００５７】
（１）変形例１
各階調値に対応するデータ電位ＶＤを通常モードと低輝度モードとで相違させる方法は任意である。上述の各実施形態において例示されたビットシフト方式の他、外部から入力される画像信号Ｄと、各Ｄ／Ａ変換器３６に供給すべき階調データｄとが対応付けられたテーブルを各モードごとに表示データ変換回路３２が保持し、表示データ変換回路３２は、入力される画像信号Ｄと選択されたモードとに基づいてＤ／Ａ変換器３６に供給すべき階調データｄの値を決定する態様（いわゆるルックアップテーブル方式）であってもよい。また、表示モードに応じてＤ／Ａ変換器３６のゲイン調整を行うことにより、入力される階調データｄに応じて各データ線１０４に出力されるデータ電位ＶＤを各モードごとに決定する態様であってもよい。
【００５８】
（２）変形例２
上述の各実施形態においては、スイッチ用トランジスタＴｓがＮチャネル型で構成される態様が例示されているが、スイッチ用トランジスタＴｓがＰチャネル型で構成される態様とすることもできる。この態様においても、低輝度モードにおいて、電気光学素子１１に対して指定された階調値が最低階調の場合におけるデータ電位ＶＤと、最高階調の場合におけるデータ電位ＶＤとの電位差△ＶＤ（Ｌ）が通常モードにおける値よりも小さく設定されることにより、走査信号ＶＧの電位の変化幅△ＶＧ（Ｌ）を通常モードにおける走査信号ＶＧの電位の変化幅△ＶＧ（Ｎ）よりも小さく設定できる。
【００５９】
（３）変形例３
上述の各実施形態においては、スイッチ用トランジスタＴｓの一方の端子（各実施形態においてはドレイン）が駆動トランジスタＴｄｒのゲートと容量素子Ｃの一方の電極とに接続される態様について例示されているが、これに限らず、例えば図１３に示すように、スイッチ用トランジスタＴｓの一方の端子（図１３においてはドレイン）が容量素子Ｃの一方の電極に接続されるとともに、容量素子Ｃの他方の電極が駆動トランジスタＴｄｒのゲートに接続される態様とすることもできる。
【００６０】
図１３の構成においては、駆動トランジスタＴｄｒのゲートとドレインとの間にトランジスタＴｇが介挿される。図１３の構成においては、第１に、トランジスタＴｇがオン状態となって、駆動トランジスタＴｄｒがダイオード接続される。これによって、駆動トランジスタＴｄｒのゲートの電位は、「ＶＥＬ−Ｖｔｈ」に収束する。第２に、トランジスタＴｇをオフ状態としたうえでスイッチ用トランジスタＴｓをオン状態とすることで、駆動トランジスタＴｄｒのゲートの電位がデータ電位ＶＤに応じたレベルに設定される。
【００６１】
すなわち、スイッチ用トランジスタＴｓは、その一方の端子が駆動トランジスタＴｄｒのゲートに直接接続される態様であってもよいし、容量素子Ｃを介して間接的に接続される態様であってもよい。要するに、スイッチ用トランジスタＴｓは、オン状態にされることで駆動トランジスタＴｄｒのゲートの電位をデータ電位ＶＤに応じた電位に設定する手段であればよい。
【００６２】
（４）変形例４
上述の各実施形態においては、電気光学装置１０が通常モード（第１モード）と低輝度モード（第２モード）とを有する態様について例示されているが、これに限らず、電気光学装置１０が高輝度モード（第１モード）と通常モード（第２モード）とを有する態様とすることもできる。すなわち、電気光学装置１０は、同じ階調値に対応する駆動電流Ｉｄｓの値が異なる複数のモードを有する態様であればよい。
【００６３】
電気光学装置１０が高輝度モード（第１モード）と通常モード（第２モード）とを有する態様においては、通常モードの場合は、データ電位ＶＤの変化幅△ＶＤが高輝度モードにおける値よりも小さく設定されることで、同じ階調値に対応する駆動電流Ｉｄｓの値が高輝度モードにおける値よりも小さくなる。また、通常モードにおいては、低位側電位ＶＣＴと高位側電位ＶＥＬとの電位差が高輝度モードにおける値よりも小さく設定されるとともに、走査信号ＶＧの電位の変化幅△ＶＧが高輝度モードにおける走査信号ＶＧの電位の変化幅ＶＧよりも小さく設定される。これにより、通常モードにおける駆動電流Ｉｄｓのピーク値を高輝度モードに比べて低減できるとともに、画素回路Ｐ内における消費電力を高輝度モードに比べて節減できる。
【００６４】
（５）変形例５
上述の各実施形態においては、電位生成部４０は、接地電位を基準にして各電位を生成する態様について例示されているが、基準となる電位は任意に設定することができる。例えば、データ電位ＶＤの最低値ＶＤｍｉｎと最高値ＶＤｍａｘとの間の電位を基準とすれば、接地電位を基準とする場合に比べて、電位生成部４０にて生成される電位の振幅を低減できる。これにより、電位生成部４０の低消費電力化を図ることができるという利点がある。
【００６５】
（６）変形例６
上述の各実施形態においては、電気光学素子１１の一例として、ＯＬＥＤ素子を取り上げたが、無機発光ダイオードやＬＥＤ（Light Emitting Diode）であってもよい。要は、駆動電流に応じた発光輝度で発光するのであれば、どのような素子であってもよい。
【００６６】
＜Ｄ：応用例＞
次に、本発明に係る電気光学装置１０を利用した電子機器について説明する。図１４は、以上に説明した何れかの形態に係る電気光学装置１０を表示装置として採用したモバイル型のパーソナルコンピュータの構成を示す斜視図である。パーソナルコンピュータ２０００は、表示装置としての電気光学装置１０と本体部２０１０とを備える。本体部２０１０には、電源スイッチ２００１およびキーボード２００２が設けられている。この電気光学装置１０は電気光学素子１１にＯＬＥＤ素子を使用しているので、視野角が広く見易い画面を表示できる。
【００６７】
図１５に、実施形態に係る電気光学装置１０を適用した携帯電話機の構成を示す。携帯電話機３０００は、複数の操作ボタン３００１およびスクロールボタン３００２、ならびに表示装置としての電気光学装置１０を備える。スクロールボタン３００２を操作することによって、電気光学装置１０に表示される画面がスクロールされる。
【００６８】
図１６に、実施形態に係る電気光学装置１０を適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置１０を備える。電源スイッチ４００２を操作すると、住所録やスケジュール帳といった各種の情報が電気光学装置１０に表示される。
【００６９】
なお、本発明に係る電気光学装置が適用される電子機器としては、図１４から図１６に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電気光学装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電気光学装置は利用される。本発明にいう電子回路とは、各実施形態のように表示装置の画素を構成する画素回路のほか、画像形成装置における露光の単位となる回路をも含む概念である。
【図面の簡単な説明】
【００７０】
【図１】本発明の第１実施形態に係る電気光学装置の構成を示すブロック図である。
【図２】第１実施形態に係る画素回路の構成を示す回路図である。
【図３】第１実施形態に係るデータ線駆動回路の詳細な構成を示すブロック図である。
【図４】駆動電流とデータ電位との関係を示す図である。
【図５】データ電位の変化幅を示す図である。
【図６】高位側電位と低位側電位とを示す図である。
【図７】走査信号の電位の変化幅（振幅）とデータ電位の変化幅とを示す図である。
【図８】本発明の第２実施形態に係る画素回路の構成を示す回路図である。
【図９】駆動電流とデータ電位との関係を示す図である。
【図１０】データ電位の変化幅を示す図である。
【図１１】高位側電位と低位側電位とを示す図である。
【図１２】走査信号の電位の変化幅（振幅）とデータ電位の変化幅とを示す図である。
【図１３】本発明の変形例に係る画素回路の構成を示す回路図である。
【図１４】本発明に係る電子機器の具体的な形態を示す斜視図である。
【図１５】本発明に係る電子機器の具体的な形態を示す斜視図である。
【図１６】本発明に係る電子機器の具体的な形態を示す斜視図である。
【符号の説明】
【００７１】
１０……電気光学装置、１１……電気光学素子、２０……走査線駆動回路、３０……データ線駆動回路、３２……表示データ変換回路、３４……シリアルパラレル変換部、３６……Ｄ／Ａ変換器、４０……電位生成部、１０２……走査線、１０４……データ線、Ｐ……画素回路、Ｔｄｒ……駆動トランジスタ、Ｔｓ……スイッチ用トランジスタ、Ｉｄｓ……駆動電流、ＶＤ……データ電位、ＶＧ……走査信号、ＶＨＨ……アクティブレベルの電位、ＶＳＳ……非アクティブレベルの電位。
【図１】
2009204802.tif 000003
【図２】
2009204802.tif 000004
【図３】
2009204802.tif 000005
【図４】
2009204802.tif 000006
【図５】
2009204802.tif 000007
【図６】
2009204802.tif 000008
【図７】
2009204802.tif 000009
【図８】
2009204802.tif 000010
【図９】
2009204802.tif 000011
【図１０】
2009204802.tif 000012
【図１１】
2009204802.tif 000013
【図１２】
2009204802.tif 000014
【図１３】
2009204802.tif 000015
【図１４】
2009204802.tif 000016
【図１５】
2009204802.tif 000017
【図１６】
2009204802.tif 000018